(57)【要約】      （修正有）【課題】簡易な構成で、ペンを外側に突出させないことにより、邪魔にならず、更にペンを挿入しやすくしたペンホルダーを備えたノートカバーを提供する。【解決手段】ノートを収納するノートカバーであって、本体の端辺において、内側に突出するように、シートを２つ折りにして形成したペンホルダー１６が設けられ、ペンホルダーの上端部において、手前側の辺が、奥側の辺より大きくえぐられてカーブした形状となっている。【選択図】図１
0003222022.tif 000002
【実用新案登録請求の範囲】
【請求項１】
ノートを収納するノートカバーであって、
本体の端辺で内側に突出してペンホルダーが取り付けられ、
前記ペンホルダーの上端部は、手前側の辺が奥側の辺より大きくえぐられた形状であることを特徴とするノートカバー。
【請求項２】
ペンホルダーの下端部は、手前側の辺が奥側の辺より大きくえぐられた形状であることを特徴とする請求項１記載のノートカバー。
【請求項３】
ペンホルダーが、見開き状態で本体右側端辺の上部内側に取り付けられていることを特徴とする請求項１又は２記載のノートカバー。
【請求項４】
ペンホルダーは、軸方向の長さが一定ではない筒状に形成され、
前記長さが最も長い部分が本体に取り付けられていることを特徴とする請求項１乃至３のいずれか記載のノートカバー。
【請求項５】
ペンホルダーは、直径１５ｍｍ以下の筆記具を挿入可能であることを特徴とする請求項１乃至４のいずれか記載のノートカバー。
【考案の詳細な説明】
【技術分野】
【０００１】
本考案は、ペンホルダーを備えたノートカバーに係り、特に、ペンが外側に突出しないようにすると共に、ペンの挿入を容易にすることができるノートカバーに関する。
【背景技術】
【０００２】
［先行技術の説明］
従来、ペンホルダーを備えたノートカバーがあった。
［関連技術］
尚、関連する先行技術文献として、特開２００２−３７０４９０号公報「ペンホルダー」（特許文献１）、特許第５８１０３３７号「ペンホルダー付ノートブックカバー」（特許文献２）がある。
【０００３】
特許文献１には、ペン挿入口の手前側が広く切り取られ、ペンの挿入を容易にするペンホルダーが記載されている。
特許文献２には、ペンのグリップ以下の部分を収納する大きめのペンホルダーを備え、挿入口がＬ字形状にカットされ、収納部の端部をバンドで止めて調整する構成が記載されている。
【先行技術文献】
【特許文献】
【０００４】
【特許文献１】特開２００２−３７０４９０号公報
【特許文献２】特許第５８１０３３７号
【考案の概要】
【考案が解決しようとする課題】
【０００５】
しかしながら、特許文献１のペンホルダーでは、ペンホルダーが外側に取り付けられており、ノートカバーを閉じた状態でペンが外側に突出してしまい、邪魔になったりペンに傷がつきやすいという問題点があった。
また、特許文献２のノートカバーは、ペンホルダーの構成が大がかりで、ノートカバー自体が重たくなってしまうという問題点があった。
【０００６】
尚、特許文献１，２には、簡易な構成で、ペンを外側に突出させず、挿入しやすくしたペンホルダーを備えたノートカバーは記載されていない。
【０００７】
本考案は上記実状に鑑みて為されたものであり、簡易な構成で、ペンを外側に突出させず、挿入しやすくしたペンホルダーを備えたノートカバーを提供することを目的とする。
【課題を解決するための手段】
【０００８】
上記従来例の問題点を解決するための本考案は、ノートを収納するノートカバーであって、本体の端辺で内側に突出してペンホルダーが取り付けられ、ペンホルダーの上端部は、手前側の辺が奥側の辺より大きくえぐられた形状であることを特徴としている。
【０００９】
また、本考案は、上記ノートカバーにおいて、ペンホルダーの下端部は、手前側の辺が奥側の辺より大きくえぐられた形状であることを特徴としている。
【００１０】
また、本考案は、上記ノートカバーにおいて、ペンホルダーが、見開き状態で本体右側端辺の上部内側に取り付けられていることを特徴としている。
【００１１】
また、本考案は、上記ノートカバーにおいて、ペンホルダーは、軸方向の長さが一定ではない筒状に形成され、当該長さが最も長い部分が本体に取り付けられていることを特徴としている。
【００１２】
また、本考案は、上記ノートカバーにおいて、ペンホルダーは、直径１５ｍｍ以下の筆記具を挿入可能であることを特徴としている。
【考案の効果】
【００１３】
本考案によれば、ノートを収納するノートカバーであって、本体の端辺で内側に突出してペンホルダーが取り付けられ、ペンホルダーの上端部は、手前側の辺が奥側の辺より大きくえぐられた形状であるノートカバーとしているので、ペンが本体の外側に突出しないため、邪魔にならず、ペンを保護することができ、また、ペンを挿入する挿入口をわかりやすくして容易にペンを挿入することができる効果がある。
【図面の簡単な説明】
【００１４】
【図１】本ノートカバーの内側の構成を示す平面図である。
【図２】ペンホルダー１６の展開図である。
【図３】ペンホルダー１６の構成を示す部分拡大図である。
【考案を実施するための形態】
【００１５】
本考案の実施の形態について図面を参照しながら説明する。
［実施の形態の概要］
本考案の実施の形態に係るノートカバー（本ノートカバー）は、本体の端辺で本体の内側に向けてペンホルダーが設けられ、当該ペンホルダーの上端部及び下端部は、手前側の辺が奥側の辺より大きくえぐられてカーブした形状となっているものであり、ペンを挿入した場合に、ペンが外側に突出しないため邪魔にならず、また、ペンを挿入しやすいものである。
【００１６】
［本ノートカバーの構成：図１］
本ノートカバーの構成について図１を用いて説明する。
図１は、本ノートカバーの内側の構成を示す平面図である。
本ノートカバーは、本体を構成する表紙部１１と、表紙部１１の内側に設けられたポケット部１２，１３，１４と、カード収納部１５ａ，１５ｂ，１５ｃ（カード収納部１５）と、ペンホルダー１６とを備えている。
【００１７】
表紙部１１は、例えばＰＶＣ（Polyvinyl Chloride；ポリ塩化ビニル）等で構成され、丈夫で軽量、撥水性を備えたものである。図１では表紙部１１の内側の面が見えている。
表紙部１１の外側の面については図示は省略するが、表紙部１１の外側は、滑りにくいよう梨地状に細かい凹凸加工が施されている。
【００１８】
そして、図１に示すように、表紙部１１の内側には、本体を開いた状態（見開き状態）において、左側に本体の上辺から下辺に亘ってポケット部１２が設けられ、その手前側にポケット部１３が設けられている。
ポケット部１２，１３は、本体中央寄りのポケット口が挿入口となっており、ポケット部１３は、ポケット部１２よりポケットの深さが浅く形成されている。
【００１９】
同様に、表紙部１１を見開いた状態で、右側にポケット部１４が設けられている。ポケット部１４も本体の上辺から下辺に亘って形成されており、本体中央寄りにポケット口が設けられている。
見開き左側のポケット部１２にノートの左側の表紙が挿入され、右側のポケット部１４にノートの右側の表紙が挿入され、ポケット部１３には紙片等が挿入される。
【００２０】
更に、本体内側の右側には、ポケット部１４の手前側にカードや名刺を収納するカード収納部１５ａ，１５ｂ，１５ｃが設けられている。
カード収納部１５ａ，１５ｂ，１５ｃは、本体の短辺方向（上下方向）を略３等分するように形成されており、左側の挿入口には、半円形状の切り欠き部が設けられている。切り欠き部を設けることにより、カード類の出し入れを容易にするものである。
【００２１】
ポケット部１２，１３，１４、及びカード収納部１５は、半透明のＰＶＣ等で構成されており、収納物が見やすくなっている。
【００２２】
そして、本体内側の右端には、本ノートカバーの特徴部分であるペンホルダー１６が設けられている。ペンホルダー１６も、ポケット部１２等と同様の半透明のＰＶＣで形成されている。
本ノートカバーの特徴として、ペンホルダー１６は、本体右端辺の上部に、当該端辺から本体の内側に突出するように取り付けられている。
更に、ペンホルダー１６の上端部及び下端部において、手前側が奥側に比べて大きく湾曲して切り取られた形状となっている。
ペンホルダー１６の構成については後述する。
【００２３】
［ペンホルダーを開いた状態：図２］
ペンホルダー１６を開いた状態について、図２を用いて説明する。図２は、ペンホルダー１６の展開図である。
図２に示すように、ペンホルダー１６は、中央部分がへこんだ略鼓型の形状のシートで形成されており、図の上下方向がペンの挿入方向であり、本ノートカバーの上下方向と一致している。
【００２４】
そして、ペンホルダー１６のシートは、中央線２１で山折りに折り曲げられて、本ノートカバーの本体の右側端辺に取り付けられるものである。
つまり、ペンホルダー１６の筒の軸方向の長さは、折り曲げられる中央部が最も短く、本ノートカバーの端辺に取り付けられる両端部が最も長くなっている。
【００２５】
そして、本体に取り付けた際に、辺１７ａは奥側の上辺となり、辺１８ａは奥側の下辺となる。また、辺１７ｂは手前側の上辺となり、辺１８ｂは手前側の下辺となる。
奥側の辺１７ａと辺１８ａは、略直線状又は緩く湾曲した形状に形成されている。
一方、手前側の辺１７ｂと辺１８ｂは、大きく湾曲し、カーブした形状に形成されている。
【００２６】
ペンホルダー１６をノートカバー本体に取り付ける際には、中央線２１が折り山になるよう、辺２２を向こう側に折り曲げるようにして辺２３に重ねて、筒状の形状とする。
これにより、筒の上端部と下端部において、奥側に比べて手前側が大きくえぐれた形状となるものである。
【００２７】
図２において、横方向の長さ（辺２２と辺２３との間の長さ）によってペンホルダー１６の筒の径の大きさが決まるが、本ノートカバーでは、ペンホルダー１６の径は直径１５ｍｍ以下の筆記具を挿入可能な大きさに形成されている。
また、本ノートカバーでは、ペンホルダー１６を１枚のシートから形成しているので、簡易な構成で実現できるものである。
【００２８】
［ペンホルダーの構成：図３］
ペンホルダー１６の構成について図３を用いて説明する。図３は、ペンホルダー１６の構成を示す部分拡大図である。
図３に示すように、ペンホルダー１６は、図２に示した半透明のシートを中央線２１が山になるよう２つに折って（中央線２１で山折りにして）、辺２２と辺２３とを重ねて、表紙部１１の右端辺に沿って表紙部１１に載せた状態で取り付ける。取り付けは、加熱圧着により行う。つまり、辺２２が下（表紙部１１に接する側）で、辺２３が上になるように重ねて、その上から圧着している。
【００２９】
これにより、ペンホルダー１６は、表紙部１１の右端辺から突出しない状態で取り付けられるものである。
ペンホルダー１６が、本ノートカバーの内側に取り付けられた構成となるので、挿入されたペンもノートカバーの外側に突出せずに邪魔にならず、また、表紙部１１に保護されて、キズが付きにくいものである。
【００３０】
ここで、ペンホルダー１６の上端部及び下端部において、手前側の辺１７ｂ，１８ｂが、奥側の辺１７ａ，１８ａと同一の形状に形成されているとすると、ペンが挿入される開口部の手前側と奥側がぴったり重なってしまい、筒にペンを挿入するのが困難となる。
本ノートカバーでは、手前側の辺１７ｂ，１８ｂが、奥側の辺１７ａ，１８ａに比べて大きく湾曲してえぐられた形状であるため、ペンホルダー１６の筒部分の開口部がわかりやすくなり、ペンを容易に挿入することができるものである。
【００３１】
［実施の形態の効果］
本ノートカバーによれば、本体の端辺の内側にシートを２つ折りにして形成したペンホルダー１６が設けられ、ペンホルダー１６の上端部及び下端部において、手前側の辺１７ｂ，１８ｂが、奥側の辺１７ａ，１８ａより大きくえぐられてカーブした形状となっているので、ペンを挿入した場合に、ペンが外側に突出しないため邪魔にならず、また、ペンを挿入する筒の開口部がわかりやすく、挿入しやすいという効果がある。
【００３２】
尚、ペンホルダー１６で、上端部においてのみ、手前側の辺１７ｂが、奥側の辺１７ａより大きくえぐられてカーブした形状とし、下端部については任意の形状としてもよい。
ペンを挿入する場合には、通常、ペンホルダー１６の上端部から挿入するため、このような構成でも同様の効果が得られるものである。
【産業上の利用可能性】
【００３３】
本考案は、簡易な構成で、ペンを外側に突出させず、挿入しやすくしたペンホルダーを備えたノートカバーに適している。
【符号の説明】
【００３４】
１１…表紙部、  １２，１３，１４…ポケット部、  １５ａ，１５ｂ，１５ｃ…カード収納部、  １６…ペンホルダー、  １７ａ，１７ｂ，１８ａ，１８ｂ，２２，２３…辺、  ２１…中央線
【図１】
0003222022.tif 000003
【図２】
0003222022.tif 000004
【図３】
0003222022.tif 000005